(57)【要約】【課題】通信相手に映像が静止画像になった旨を通知する機能を持っていない場合でも、その状態が判るテレビ電話装置を提供する。【解決手段】ＣＰＵ部１１は、映像ＣＯＤＥＣ部２４の差分判定部によって求められた差分データ間の差分量が第１の閾値未満のとき、「エラーではなく、通信相手側の意図による静止画像」と判断して、その旨を伝える内容の映像及び音声を出力し、映像ＣＯＤＥＣ部２４の比較部によって得られた映像フレームデータの平均輝度とその直前の映像フレームデータの輝度との差分が第２の閾値未満のとき、「通信相手側の映像送信オフによる静止画像」と判断して、その旨を伝える内容の映像及び音声を出力し、平均輝度と画素の輝度との差分が第２の閾値以上のときは、「動きのない被写体撮影時の静止画像」と判断して、その旨を伝える内容の映像及び音声を出力する。【選択図】        図１
2004229030.tif 000002
【特許請求の範囲】
【請求項１】
通信回線を介して通信相手と映像及び音声の送受信を行い、通信相手からの映像を表示手段に表示すると共に、音声を音声出力手段を通じて出力するテレビ電話装置であって、
通信相手からの映像のフレーム間のデータに基づいて映像状態情報を提供する映像状態情報提供手段と、
該映像状態情報提供手段からの映像状態情報と予め設定された基準データとに基づいて正常な静止画、通信相手側の送信映像オフによる静止画、及び動きのない被写体撮影時の静止画の何れかを判定し、かつ、その判定結果を伝える内容の映像を前記表示手段に表示する静止画監視手段とを備えたことを特徴とするテレビ電話装置。
【請求項２】
前記静止画監視手段は、静止画の判定結果を伝える内容の映像を前記表示手段に表示した際、その状態を報知する音声を前記音声出力手段を通じて出力することを請求項１記載のテレビ電話装置。
【請求項３】
前記映像状態情報提供手段は、通信相手からの映像のフレームのデータから推移量を検知し、かつ、その推移量に基づいてフレーム間の差分量を求めて映像状態情報として提供する差分判定部を有し、
前記静止画監視手段は、基準データとして第１の閾値が予め設定され、前記差分量が当該第１の閾値以上かどうかを判定し、前記差分量が第１の閾値未満のとき、正常な静止画と判断して、その旨を伝える内容の映像を前記表示手段に表示すると共に、その状態を報知する音声を前記音声出力手段から出力する第１の静止画判定部を有していることを特徴とする請求項２記載のテレビ電話装置。
【請求項４】
前記映像状態情報提供手段は、通信相手からの映像のフレームのデータから平均輝度を算出する平均値計算手段と、前記映像の直前映像のフレームデータから輝度を読み込んで、その輝度と前記平均輝度との差分を映像状態情報として提供する比較手段とを有し、
前記静止画監視手段は、基準データとして第２の閾値が予め設定され、前記差分が当該第２の閾値以上かどうかを判定し、前記差分が第２の閾値未満のとき、通信相手側の映像送信オフによる静止画と判断して、その旨を伝える内容の映像を前記表示手段に表示すると共に、その状態を報知する音声を前記音声出力手段から出力する第２の静止画判定部を有していることを特徴とする請求項２又は３記載のテレビ電話装置。
【請求項５】
前記第２の静止画判定部は、前記差分が前記第２の閾値以上のとき、動きのない被写体撮影時の静止画と判断して、その旨を伝える内容の映像を前記表示手段に表示すると共に、その状態を報知する音声を前記音声出力手段から出力することを特徴とする請求項４記載のテレビ電話装置。
【請求項６】
前記平均値計算手段は、平均輝度に代えて、通信相手からの映像のフレームのデータから平均色相を算出し、前記比較手段は、輝度に代えて、前記映像の直前映像のフレームデータから色相を読み込んで、その色相と前記平均色相との差分を映像状態情報として提供し、
前記第２の静止画判定部は、前記第２の閾値に代えて、第３の閾値が予め設定され、前記差分が当該第３の閾値以上かどうかを判定し、前記差分が第３の閾値未満のとき、通信相手側の映像送信オフによる静止画と判断して、その旨を伝える内容の映像を前記表示手段に表示すると共に、その状態を報知する音声を前記音声出力手段から出力することを特徴とする請求項４記載のテレビ電話装置。
【請求項７】
第２の静止画判定部は、前記差分が前記第３の閾値以上のとき、動きのない被写体撮影時の静止画と判断して、その旨を伝える内容の映像を前記表示手段に表示すると共に、その状態を報知する音声を前記音声出力手段から出力することを特徴とする請求項６記載のテレビ電話装置。
【発明の詳細な説明】
【０００１】
【発明の属する技術分野】
本発明は、テレビ電話の接続中に受信映像が遮断、或いは静止画になったときにその状態を知らせるテレビ電話装置に関するものである。
【０００２】
【従来の技術】
従来、送受信中に相手先が電話機の受話器を切った場合、画面をマルチ画面に切り換えると共に、マルチ画面内の受信簡易画像を単一色画像に切り換え、かつ、通話が切れた旨の文字情報をマルチ画面上に表示している（例えば、特許文献１参照）。
【０００３】
また、他の従来のテレビ電話装置においては、画像ミュートキーにより画像送信ミュートが要求されると、電話制御回路が、画像メッセージ発生回路を起動して、画像メッセージを相手側に送信し、相手側に画像送信ミュート状態での受信であることを知らせている（例えば、特許文献２参照）。
【０００４】
さらに、この他の従来のテレビ電話装置では、画像不送信状態にあるとき、カメラで撮影した自分側画像を画面に表示すると共に、予め設定した代替画像の情報を相手側に送信して、不用意に自分側画像が相手側に表示されないようにしている（例えば、特許文献３参照）。
【０００５】
【特許文献１】
特開平８−１９５９４３号公報（第８頁−第９頁、図９及び図１１）
【特許文献２】
特開平６−２３３２８９号公報（第４頁−第５頁、図５乃至図７）
【特許文献３】
特開平１０−９８７０２号公報（第３頁、図３）
【０００６】
【発明が解決しようとする課題】
しかしながら、前述した従来のテレビ電話装置では、送信映像をオフした旨を通信相手に通知する機能を持っていない場合、送信映像のオフ時に、カメラのシャッタを閉じた真っ黒な映像か、或いは送信映像のオフ状態を検知して送信機内部のＩＣ等で生成される映像を送信するかであり、静止映像を見た受信相手では、その状態が故障しているのか送信映像がオフになったのか区別することができなかった。
また、送信映像のオフ以外に、伝送系や送信機側での何らかの異常に起因した映像伝送が不可能な状態になっても静止画像として受信されていた。その静止画像は、不意に発生する異常画像であるため、不自然な映像状態でフリーズしてしまう可能性があった。
【０００７】
本発明は、かかる課題を解決するためになされたもので、第１の目的は、送信映像をオフした旨を通信相手に通知する機能を持っていない場合でも、送信映像をオフした状況が通信相手側にも判るようにすることにある。また、第２の目的は、伝送系や送信機側で何らかの異常に起因した映像伝送が不可能な状態による静止画像に陥ったときに、自動的に適切な映像を表示し、映像送信者にとって不本意な表情でフリーズしたままになることを防ぐと共に、不自然な映像を見ている受信側の参席者に不快感を与えないようにすることにある。
【０００８】
【課題を解決するための手段】
本発明に係るテレビ電話装置は、通信回線を介して通信相手と映像及び音声の送受信を行い、通信相手からの映像を表示手段に表示すると共に、音声を音声出力手段を通じて出力するテレビ電話装置であって、通信相手からの映像のフレーム間のデータに基づいて映像状態情報を提供する映像状態情報提供手段と、映像状態情報提供手段からの映像状態情報と予め設定された基準データとに基づいて正常な静止画、通信相手側の送信映像オフによる静止画、及び動きのない被写体撮影時の静止画の何れかを判定し、かつ、その判定結果を伝える内容の映像を表示手段に表示する静止画監視手段とを備えたものである。
【０００９】
【発明の実施の形態】
実施の形態１．
以下、本発明のテレビ電話装置の実施の形態１について図１乃至図４を用いて説明する。図１は本発明の実施の形態１に係るテレビ電話装置の構成を示すブロック図である。
図中に示すＴＶ電話本体０１は、本実施の形態のＴＶ電話装置の外郭をなすもので、この本体０１内部に装着された基板上に、ＣＰＵ部１１と、送信映像選択部２１と、ＯＳＤ（Ｏｎ  Ｓｃｒｅｅｎ  Ｄｉｓｐｌａｙ）  部２２と、表示／出力映像選択部２３と、映像ＣＯＤＥＣ部２４と、多重・分離化部２５と、ネットワーク（ＩＳＤＮ）５０に接続された回線制御ＩＦ部２６と、送信音声選択部３０と、音声データを符号化／復号化する音声ＣＯＤＥＣ部３１と、映像データ、音声データ及び文字データを記録するためのデータ記録部３２とが実装されている。また、このＴＶ電話本体０１の内部には、レンズが話者側に向いた位置に配置されたカメラ４２が設けられている。
【００１０】
ＴＶ電話本体０１の表面には、各種設定及び入力を実現するマンマシンインタフェースの操作部１２と、この操作部１２の操作によるＣＰＵ部１１からの制御によってレンズ前方を開いたり閉じたりするシャッタ４１と、ＬＣＤ表示部４４と、外部映像入力端子４３と、外部映像出力端子４５と、マイクとスピーカが内蔵され、コードを介してＴＶ電話本体０１と接続されたハンドセット４６と、外部音声入力端子４７と、外部音声出力端子４８と、映像・音声データを出し入れするためのインタフェースの外部データ／メモリ端子４９とが設けられている。なお、ハンドセット４６とＴＶ電話本体０１との間がコードで接続されていることを述べたが、それぞれに無線送受信装置を設けて、音声データの送受信を無線で行うようにしてもよい。また、前述した各端子４３、４５、４７、４８に接続される外部機器として、例えばテレビやビデオカメラ等が挙げられる。外部データ／メモリ端子４９に接続される機器としては例えばデジタルカメラがある。
【００１１】
前述したＯＳＤ部２２は、ＬＣＤ表示部４４或いは外部映像出力端子４５に出力される映像上に文字を重ねるものである。データ記録部３２は、カメラ４２により撮影される映像データ、外部映像入力端子４３を介して入力される外部機器からの映像データ、通信相手の端末６０からの映像データ、及び外部データ／メモリ端子４９からの映像データを保存し、ハンドセット４６からの音声データ、外部音声入力端子４７を通じて入力される外部機器からの音声データ、通信相手の端末６０からの音声データ、及び外部データ／メモリ端子４９からの音声データを保存し、操作部１２の操作による文字データを保存するようになっている。カメラ４２、外部機器及び通信相手の端末６０からの映像データについてはＭＰＥＧ方式で、外部データ／メモリ端子４９を介して入力される映像データは受け取ったままのデータ状態で保存され、また、ハンドセット４６、外部機器及び通信相手の端末６０からの音声データについては、ＭＰ３方式をはじめとする何らかの圧縮処理を施されてから保存され、外部データ／メモリ端子４９からの音声データは、前記と同様にそのままのデータ状態で保存される。
【００１２】
また、このデータ記録部３２には、正常な静止画像、即ち「エラーではなく、通信相手側の意図による静止画像」であることを伝える内容の映像、及びその状態を報知する音声の各データと、「通信相手側の映像送信オフによる静止画像（単一色）」であることを伝える内容の映像、及びその状態を報知する音声の各データと、「動きのない被写体撮影時の静止画像」であることを伝える内容の映像、及びその状態を報知する音声の各データと、「エラーによる静止画像」であることを伝える内容の映像データとが保存されている。
【００１３】
ＣＰＵ部１１は、後述する映像ＣＯＤＥＣ部２４の差分判定部１０７によって求められた差分データ間の差分量が予め設定された第１の閾値未満のとき、「エラーではなく、通信相手側の意図による静止画像」と判断して、その旨を伝える内容の映像及びその状態を報知する音声の各データをデータ記録部３２から読み出し、また、映像ＣＯＤＥＣ部２４の比較部１０９によって比較された映像フレームデータの平均輝度とその直前の映像フレームデータの画素（Ｎ個）の輝度との差分が予め設定された第２の閾値未満のとき、「通信相手側の映像送信オフによる静止画像」と判断して、その旨を伝える内容の映像及びその状態を報知する音声の各データをデータ記録部３２から読み出し、平均輝度と画素の輝度との差分が第２の閾値以上のときは、「動きのない被写体撮影時の静止画像」と判断して、その旨を伝える内容の映像及びその状態を報知する音声の各データをデータ記録部３２から読み出し、さらに、回線制御ＩＦ部２６、多重・分離化部２５及び映像ＣＯＤＥＣ部２４の何れかから正常時に発生しないデコードエラーの通知を受けたとき、「エラーによる静止画像」と判断して、その旨を伝える内容の映像のデータをデータ記録部３２から読み出す。このＣＰＵ部１１によって読み出された映像データは、表示／出力映像選択部２３を通じて例えばＬＣＤ表示部４４に出力され、音声データは例えばハンドセット４６に出力される。
【００１４】
次に、前述した映像ＣＯＤＥＣ部の構成について図２を用いて説明する。図２は実施の形態のＴＶ電話装置における映像ＣＯＤＥＣ部の構成を示すブロック図である。
この映像ＣＯＤＥＣ部２４は、直前の映像フレームデータを保存するためのループ内フレームメモリ１０３ａと、映像フレームデータが入力されたときにそのフレームメモリ１０３ａに保存された直前の映像フレームデータとの差分を取る差分器１０１ａと、この差分データを符号化処理（正規直交変換符号化）する符号化器１０２ａと、符号化された差分データを復号化する局部復号化器１０４と、復号化された差分データと前記フレームメモリ１０３ａに保存された直前の映像フレームデータとを加算して映像フレームデータを生成し、新たな直前の映像フレームデータとして前記フレームメモリ１０３ａに保存する加算器１０５ａと、回線制御ＩＦ部２６及び多重・分離化部２５を介して受信された符号化の差分データを復号化する復号化器１０６と、復号化された差分データから推移量を読み込むと共に、その各推移量から差分データ間の差分量を求めてＣＰＵ部１１に通知する差分判定部１０７と、直前の映像フレームデータを保存するためのループ内フレームメモリ１０３ｂと、復号化器１０６により復号化された差分データと前記フレームメモリ１０３ｂに保存された直前の映像フレームデータとを加算して１枚の映像フレームデータを生成する加算器１０５ｂと、加算器１０５ｂからの１枚の映像フレームデータの例えば平均輝度を算出する平均値計算部１０８と、前記フレームメモリ１０３ｂに保存された直前の映像フレームデータから例えばＮ個（１≦Ｎ≦最大画素数）の画素の輝度を読み込んで、前記の平均輝度を基準に比較して差分を求め、この結果をＣＰＵ部１１に通知する比較部１０９とを備えている。
【００１５】
この比較部１０９により得られた直前の映像フレームデータのＮ個の画素の輝度と平均輝度との差分が大きいときは、明暗や色の違いが画面上に存在する場合で、カメラ４２の前に動きのない静止画像撮影時の状態である。その差が小さいときは、単一色映像と見なせるので、通信相手側の映像送信オフによる静止画像の状態である。Ｎ個の画素の読込位置は、ここでは、どの座標位置の画素から読み込むことを規定していないが、予めその位置が設定されているものとする。また、Ｎ個の画素の輝度と平均輝度との差分の大小の判断については、任意に設定できるので、ここでは限定していない。
【００１６】
また、送信側の符号化器１０２ａにより符号化された差分データは、多重・分離化器２５により音声データと共に多重化され、回線制御ＩＦ２６によって、伝送に適した体系のデータに変換され、ネットワーク５０を介して通信相手の端末６０に送信される。また、加算器１０５ａによって加算された映像フレームデータは、アナログ化された後に表示／出力映像選択部２３に出力され、ＬＣＤ表示部４４、或いは外部映像出力端子４５に接続された外部機器側で映像化される。
【００１７】
前記のように構成されたテレビ電話装置において、まず、通常の送信時の動作を説明し、次いで、動画を受信しているときの動作を図３を参照しながら説明し、そして、受信した映像データから静止画像を検知したときの動作を図３及び図４を参照しながら説明する。図３は動画像及び静止画像の映像フレームの差分データ間の差分量を示す図であり、図４は映像送信オフ時の静止画像及び動きのない被写体撮影時の静止画像のＮ個画素の輝度と平均輝度との相関を示す図である。
【００１８】
例えば、ＴＶ電話本体０１に設けられた操作部１２で通信相手の端末６０にダイヤル操作をすると、相互の回線制御ＩＦ部２６との間に通信が確立される。その後、カメラ４２によって映像が撮影され、ハンドセット４６で通話が行われると、図２（ａ）に示すように、映像ＣＯＤＥＣ部２４の差分器１０１ａが、送信映像選択部２１を介して入力されるカメラ２４からの映像フレームデータとループ内フレームメモリ１０３ａに保存された直前の映像フレームデータとの差分を取り、符号化器１０２ａがその差分データを符号化して多重・分離化部２５に出力する。一方、音声ＣＯＤＥＣ部３０は、送信音声選択部３０を介して入力されるハンドセット４６からの音声データを符号化し、多重・分離化部２５に出力する。この多重・分離化部２５は、符号化された映像フレームの差分データ及び音声データを多重化し、回線制御ＩＦ部２６からネットワーク５０上に伝送させる。
【００１９】
このデータ伝送により、端末６０からのデータ（差分データと音声データ）がネットワーク５０を通じて回線制御ＩＦ部２６に受信されると、多重・分離化部２５が、符号化された差分データと音声データとに分離すると共に、差分データを映像ＣＯＤＥＣ部２４に出力し、音声データを音声ＣＯＤＥＣ部３０に出力する。この時、音声ＣＯＤＥＣ部３０は、入力される音声データを復号化してハンドセット４６へ出力する。映像ＣＯＤＥＣ部２４は、図２（ｂ）に示すように、復号化器１０６が、入力される差分データを復号化し、加算器１０５ｂと差分判定部１０７とに出力する。その加算器１０５ｂは、復号化された差分データとループ内フレームメモリ１０３に保存された直前の映像フレームデータとを加算して１枚の映像フレームデータを生成し、表示／出力映像選択部２３へ出力すると共に、次の直前の映像フレームデータとして前記フレームメモリ１０３に保存する。なお、加算器１０５ｂにより加算された１枚の映像フレームデータは平均値計算部１０８へ入力するが、ここでは、通信相手からの映像が動画像であるため、動作の説明を割愛する。
【００２０】
一方、差分判定部１０７は、入力される差分データから推移量を読み込むと共に、各推移量に基づいて差分データ間の差分量をそれぞれ求めて、その結果をＣＰＵ部１１に通知する。ＣＰＵ部１１は、差分データ間の差分量が第１の閾値以上かどうかを判定し、各差分量が第１の閾値未満のときは、送信側の意図による静止画像と判断するが（図３（ａ）参照）、この場合は、前述したように通信相手からの映像が動画像であるため、差分量が大きく第１の閾値以上となる（図３（ｂ）参照）。この時は、通信相手からの映像が正常に受信されているものと判断してその通知に対する処理は行わない。
【００２１】
次に、静止画像が受信された場合の動作を説明する。なお、音声データの受信に対する動作は、前記と同様であるため説明を割愛する、
多重・分離化部２５によって分離された符号化の差分データが映像ＣＯＤＥＣ部２４に入力すると、前述したように、復号化器１０６が、入力される差分データを復号化し、加算器１０５ｂは、復号化された差分データとループ内フレームメモリ１０３に保存された直前の映像フレームデータとを加算して１枚の映像フレームデータを生成し、表示／出力映像選択部２３と平均値計算部１０８とに出力すると共に、新たな直前の映像フレームデータとして前記フレームメモリ１０３に保存する。一方、差分判定部１０７は、入力される差分データから推移量を読み込むと共に、各推移量に基づいて差分データ間の差分量をそれぞれ求め、その結果をＣＰＵ部１１に通知する。ＣＰＵ部１１は、各差分量が第１の閾値以上かどうかを判定し、各差分量が大きく第１の閾値以上のときは（図３（ｂ）参照）、前述したように動画像と判断してその処理に対する動作を行わないが、各差分量が小さく第１の閾値未満のときは（図３（ａ）参照）、「エラーではなく、通信相手側の意図による静止画像」と判断して、その旨を伝える内容の映像及びその状態を報知する音声の各データをデータ記録部３２から読み出し、かつ、その映像データを表示／出力映像選択部２３に転送してＬＣＤ表示部４４に表示させ、音声データをハンドセット４６に転送する。
【００２２】
また、平均値計算部１０８は、加算器１０５ｂからの１枚の映像フレームデータから平均輝度を算出して比較部１０９に出力し、比較部１０９は、平均輝度が入力されたときに、前記フレームメモリ１０３ｂに保存された直前の映像フレームデータからＮ個の画素の輝度を読み込んで、その平均輝度を基準に画素の輝度との差分を求め、その結果の差分をＣＰＵ部１１に通知する。ＣＰＵ部１１は、平均輝度と画素の輝度との差分が小さく第２の閾値未満のときは（図４（ａ）参照）、「通信相手側の映像送信オフによる静止画像（単一色）」と判断して、その旨を伝える内容の映像及びその状態を報知する音声の各データをデータ記録部３２から読み出し、かつ、その映像データを表示／出力映像選択部２３に転送してＬＣＤ表示部４４に表示させ、音声データをハンドセット４６に転送する。また、平均輝度と画素の輝度との差分が大きく第２の閾値以上のときは（図４（ｂ）参照）、「動きのない被写体撮影時の静止画像」と判断して、その旨を伝える内容の映像及びその状態を報知する音声の各データをデータ記録部３２から読み出し、かつ、その映像データを表示／出力映像選択部２３に転送してＬＣＤ表示部４４に表示させ、音声データをハンドセット４６に転送する。
【００２３】
なお、受信された静止画像が異常の場合は、回線制御ＩＦ部２６、多重・分離化部２５及び映像ＣＯＤＥＣ部２４の何れかで規格に準じないデータが受信されることになるので、正常時に発生しないデコードエラーが検出され、ＣＰＵ部１１に通知される。この場合、ＣＰＵ部１１は、「エラーによる静止画像」と判断して、その旨を伝える内容の映像のデータをデータ記録部３２から読み出して表示／出力映像選択部２３に転送し、ＬＣＤ表示部４４に表示させる。
【００２４】
以上のように実施の形態１においては、入力される差分データから推移量を読み込むと共に、各推移量に基づいて差分データ間の差分量をそれぞれ求め、各差分量が小さく第１の閾値未満のとき、「エラーではなく、通信相手側の意図による静止画像」と判断して、その旨を伝える内容の映像及びその状態を報知する音声を出力し、また、１枚の映像フレームデータから平均輝度を算出し、ループフレームメモリ１０３ｂに保存された直前の映像フレームデータからＮ個の画素の輝度を読み込んで、その平均輝度を基準に画素の輝度との差分を求め、平均輝度と画素の輝度との差分が小さく第２の閾値未満のときは、「通信相手側の映像送信オフによる静止画像（単一色）」と判断して、その旨を伝える内容の映像及びその状態を報知する音声を出力し、さらに、平均輝度と画素の輝度との差分が大きく第２の閾値以上のときは、「動きのない被写体撮影時の静止画像」と判断して、その旨を伝える内容の映像及びその状態を報知する音声を出力するようにしたので、通信相手側の端末６０に静止画像になった原因を通知する機能を有していなくてもその原因が容易に判り、静止画像による不信感や不快感を取り除くことが可能になり、しかも、その静止画像の原因が音声でも判るため、視力が低下している高齢者でも容易に通信状態を判別できる。
【００２５】
なお、前述した実施の形態１では、静止画像を検知した場合、その状態に応じた映像をＬＣＤ表示部４４に表示させると共に、その状態を報知する音声をハンドセット４６から出力するようにしたが、前記の映像と音声を外部映像出力端子４５及び外部音声出力端子４７を通じてテレビに出力するようにしてもよい。また、静止画像の状態を音声で報知するようにしたが、これに代えて、文字データを映像と共に表示するようにしてもよい。
【００２６】
実施の形態２．
前記の実施の形態１では、平均値計算部１０８が、１枚の映像フレームデータから平均輝度を算出するようにしたが、これに代えて、映像フレームデータの色相の平均値を算出するようにしてもよい。この場合、比較部１０９では、ループフレームメモリ１０３ｂに保存された直前の映像フレームデータからＮ個の画素の色相を読み込んで、前記の色相平均値を基準に差分を求め、その結果をＣＰＵ部１１に通知する。ＣＰＵ部１１は、色相平均値と画素の色相との差分が小さく第３の閾値未満のときは、「通信相手側の映像送信オフによる静止画像（単一色）」と判断して、その旨を伝える内容の映像及びその状態を報知する音声の各データをデータ記録部３２から読み出し、かつ、その映像データを表示／出力映像選択部２３に転送してＬＣＤ表示部４４に表示させ、音声データをハンドセット４６に転送する。また、色相平均値と画素の色相との差分が大きく第３の閾値以上のときは、「動きのない被写体撮影時の静止画像」と判断して、その旨を伝える内容の映像及びその状態を報知する音声の各データをデータ記録部３２から読み出し、かつ、その映像データを表示／出力映像選択部２３に転送してＬＣＤ表示部４４に表示させ、音声データをハンドセット４６に転送する。
【００２７】
このように構成したことにより、通信相手側の端末６０に静止画像になった原因を通知する機能を有していなくてもその原因が容易に判り、静止画像による不信感や不快感を取り除くことが可能になり、しかも、その静止画像の原因が音声でも判るため、視力が低下している高齢者でも容易に通信状態を判別できる。
【００２８】
【発明の効果】
以上のように本発明によれば、通信相手からの映像のフレーム間のデータに基づいて映像状態情報を提供し、この映像状態情報と予め設定された基準データとに基づいて正常な静止画、通信相手側の送信映像オフによる静止画、及び動きのない被写体撮影時の静止画の何れかを判定し、かつ、その判定結果を伝える内容の映像を表示手段に表示するようにしたので、通信相手側に静止画像になった原因を通知する機能を有していなくてもその原因が容易に判り、静止画像による不信感や不快感を取り除くことが可能になる。
【図面の簡単な説明】
【図１】本発明の実施の形態１に係るテレビ電話装置の構成を示すブロック図である。
【図２】実施の形態のＴＶ電話装置における映像ＣＯＤＥＣ部の構成を示すブロック図である。
【図３】動画像及び静止画像の映像フレームの差分データ間の差分量を示す図である。
【図４】映像送信オフ時の静止画像及び動きのない被写体撮影時の静止画像のＮ個画素の輝度と平均輝度との相関を示す図である。
【符号の説明】
０１  ＴＶ電話本体、１１  ＣＰＵ部、１２  操作部、２３  表示／出力映像選択部、２４  映像ＣＯＤＥＣ部、２５  多重・分離化部、２６  回線制御ＩＦ部、３１  音声ＣＯＤＥＣ部、３２  データ記録部、４２  カメラ、４４  ＬＣＤ表示部、４６  ハンドセット、１０１ａ  差分器、１０２ａ  符号化部、１０３ａ、１０３ｂ  ループ内フレームメモリ、１０４  局部復号化器、１０５ａ、１０５ｂ  加算器、１０６  復号化器、１０７  差分判定部、１０８  平均値計算部、１０９  比較部。
【図１】
2004229030.tif 000003
【図２】
2004229030.tif 000004
【図３】
2004229030.tif 000005
【図４】
2004229030.tif 000006